(57)【要約】【課題】少ない手間と時間で、ロングスパンや狭小敷地に対応可能な木造トラス梁構造を提供する。【解決手段】木造建築物に用いられる木造トラス梁構造１において、上弦材１１と下弦材１２と束材１３とを備えた複数のトラスパーツ１０ａ，１０ｂを備えている。隣り合う前記トラスパーツ１０ａ，１０ｂ同士は、折り畳み可能に接続されており、展開した状態で、補剛材２０により補剛されていることを特徴とする。補剛材２０は、隣り合うトラスパーツ１０ａ，１０ｂの上弦材１１，１１同士を接続する上部横補剛材２１と、隣り合うトラスパーツ１０ａ，１０ｂの束材１３ａ，１３ａ同士を接続する縦補剛材２２と、隣り合うトラスパーツ１０ａ，１０ｂの下弦材１２，１２同士を接続する下部横補剛材２３とを、備えて構成されている。【選択図】図１
2020169531.tif 000002
【特許請求の範囲】
【請求項１】
木造建築物に用いられる木造トラス梁構造において、
上弦材と下弦材と束材とを備えた複数のトラスパーツを備えており、
トラスの長手方向に隣り合う前記トラスパーツ同士は、折り畳み可能に接続されており、展開した状態で、補剛材により補剛されている
ことを特徴とする木造トラス梁構造。
【請求項２】
前記補剛材は、隣り合う前記トラスパーツの前記上弦材同士を接続する上部横補剛材と、隣り合う前記トラスパーツの前記束材同士を接続する縦補剛材と、隣り合う前記トラスパーツの前記下弦材同士を接続する下部横補剛材とを、備えて構成されている
ことを特徴とする請求項１に記載の木造トラス梁構造。
【請求項３】
前記補剛材は、前記トラスパーツの両面にそれぞれ設けられ、隣り合う前記トラスパーツの接合部を挟むように配置されている
ことを特徴とする請求項１または請求項２に記載の木造トラス梁構造。
【請求項４】
前記トラスパーツの両面に設けられた前記補剛材は、一対の前記補剛材と前記トラスパーツの三部材に渡るネジ部材にて、前記トラスパーツに固定されている
ことを特徴とする請求項３に記載の木造トラス梁構造。
【発明の詳細な説明】
【技術分野】
【０００１】
本発明は、木造建築物に用いられる木造トラス梁構造に関する。
【背景技術】
【０００２】
木造建築物に用いられる木造トラス梁構造は、上弦材と下弦材と束材とを備えて構成されている（たとえば、特許文献１，２参照）。下弦材は、トラス梁両端部の下方に位置する柱や軒桁等に架設されている。
【先行技術文献】
【特許文献】
【０００３】
【特許文献１】特開２０１５−９８６８０号公報
【特許文献１】特開２００６−３０７５８３号公報
【発明の概要】
【発明が解決しようとする課題】
【０００４】
ところで、１０メートルを超えるロングスパンの木造トラス梁や、狭小地における建築物の木造トラス梁は、トラックで輸送できる長さに制限がかかる。そのため、当該トラスを分割して輸送し、施工現場にて接合するのが従来の施工方法であった。このように施工現場にて、分割したトラスの接合を行う場合、工場品質を維持するためには、工場担当者が現場に出向き、接合工事を行う必要があるため、多くの手間と時間を要する問題があった。さらに、現場接合作業を、建方工事工程に事前作業工程として組まないといけないので、工期短縮およびコストダウンを阻害していた。
【０００５】
そこで、本発明は、前記の問題を解決するためになされたものであり、少ない手間と時間で、ロングスパンや狭小地に対応可能な木造トラス梁構造を提供することを課題とする。
【課題を解決するための手段】
【０００６】
前記課題を解決するための本発明は、木造建築物に用いられる木造トラス梁構造において、上弦材と下弦材と束材とを備えた複数のトラスパーツを備えている。トラスの長手方向に隣り合う前記トラスパーツ同士は、折り畳み可能に接続されており、展開した状態で、補剛材により補剛されていることを特徴とする。
【０００７】
このような木造トラス梁構造によれば、輸送時には折り畳まれているので、ロングスパンのトラスでも、トラックで輸送できる寸法に納めることができる。また、狭小地であってもトラスを容易に輸送できる。さらに、施工現場においては、折り畳まれた状態のトラスパーツを展開して、補剛材で接続すれば良いので、施工に係る手間と時間を低減することができる。また、トラスパーツは予め接続されているので、寸法精度を確保することができる。
【０００８】
本発明の木造トラス梁構造においては、前記補剛材は、隣り合う前記トラスパーツの前記上弦材同士を接続する上部横補剛材と、隣り合う前記トラスパーツの前記束材同士を接続する縦補剛材と、隣り合う前記トラスパーツの前記下弦材同士を接続する下部横補剛材とを、備えて構成されているものが好ましい。このような構成によれば、上部横補剛材で圧縮力に対抗し、縦補剛材でせん断力に対抗し、下部横補剛材で引張力に対抗することができる。
【０００９】
また、前記補剛材は、前記トラスパーツの両面にそれぞれ設けられ、隣り合う前記トラスパーツの接合部を挟むように配置されているものが好ましい。このような構成によれば、トラスパーツの両面において、バランス良く補剛することができる。
【００１０】
さらに、前記トラスパーツの両面に設けられた前記補剛材は、一対の前記補剛材と前記トラスパーツの三部材に渡る二面せん断接合用のネジ部材にて、前記トラスパーツに固定されているものが好ましい。このような構成によれば、一面せん断接合のようにトラスパーツを裏返すことなく、一方の面から固定作業を行うことができる。
【発明の効果】
【００１１】
本発明に係る木造トラス梁構造によれば、折り畳まれた状態のトラスパーツを展開して補剛材で接続する、という少ない手間と時間で、ロングスパンや狭小地に対応可能な木造トラス梁構造を提供できる。さらに、トラスパーツは予め接続されているので、寸法精度を確保することができる。
【図面の簡単な説明】
【００１２】
【図１】本発明の実施形態に係る木造トラス梁構造を示した側面図である。
【図２】本発明の実施形態に係る木造トラス梁構造を示した要部拡大側面図である。
【図３】本発明の実施形態に係る木造トラス梁構造を示した要部拡大斜視図である。
【図４】本発明の実施形態に係る木造トラス梁構造の隣り合うトラスパーツの束材同士の接合部分を示した断面図である。
【図５】本発明の実施形態に係る木造トラス梁構造の隣り合うトラスパーツの下弦材同士の接合部分を示した断面図である。
【図６】本発明の実施形態に係る木造トラス梁構造を示した図であって、（ａ）は、トラスパーツを折り畳んだ状態を示した斜視図、（ｂ）は、トラスパーツを展開した状態を示した平面図、（ｃ）は、補剛材を設置した状態を示した要部拡大側面図である。
【図７】転び止めパネルを示した斜視図である。
【図８】隣り合う木造トラス梁構造間に転び止めパネルを設置した状態を示した斜視図である。
【図９】隣り合う木造トラス梁構造間に転び止めパネルを設置した状態を示した平面図である。
【図１０】木造トラス梁構造間と転び止めパネルとの接合状態を示した拡大断面図である。
【図１１】本発明の実施形態の変形例に係る木造トラス梁構造を示した図であって、（ａ）は、トラスパーツを展開した状態を示した模式側面図、（ｂ）は、トラスパーツを折り畳んだ状態を示した模式側面図である。
【図１２】本発明の実施形態の第二変形例に係る木造トラス梁構造を示した図であって、（ａ）は、トラスパーツを展開した状態を示した模式側面図、（ｂ）は、（ａ）の裏面側の模式側面図である。
【図１３】本発明の実施形態の第二変形例に係る木造トラス梁構造を示した図であって、（ａ）は、トラスパーツを展開した状態を示した模式側面図、（ｂ）は、上部のトラスパーツを折り畳んだ状態を示した模式側面図、（ｃ）は、さらに側部のトラスパーツを折り畳んだ状態を示した模式側面図である。
【図１４】本発明の実施形態の第二変形例に係る木造トラス梁構造を示した図であって、トラスパーツを折り畳んだ状態を示した模式平面図である。
【発明を実施するための形態】
【００１３】
本発明の実施形態に係る木造トラス梁構造について、図面を参照しながら詳細に説明する。図１および図２に示すように、木造トラス梁構造１は、木造建築物に用いられるものであって、複数（本実施形態では２つ）のトラスパーツ１０ａ，１０ｂを備えている。トラスパーツ１０ａ，１０ｂは、それぞれ木製の上弦材１１と下弦材１２と束材１３，１３・・とを備えている。トラスの長手方向に隣り合うトラスパーツ１０ａ，１０ｂ同士は、折畳み金物により折り畳み可能に接続されている。
【００１４】
上弦材１１は、他方のトラスパーツ１０ｂ（１０ａ）に向かうに連れて高くなるように傾斜している。トラスパーツ１０ａ，１０ｂを展開した状態で、隣り合う上弦材１１，１１は、その中間部（接続部分）が上方に突出して配列される。なお、本実施形態では、上弦材１１に、中間部が高くなるように勾配を持たせているが、これに限定されるものではなく、上弦材１１を水平に配置してもよい。また、上弦材１１は、直線状に限定されるものではなく、途中で屈曲していてもよい。
【００１５】
下弦材１２は、水平方向に沿って延在しており、トラスパーツ１０ａ，１０ｂを展開した状態で、隣り合う下弦材１２，１２は、直線状に配列される。なお、本実施形態では、下弦材１２を水平に配置しているが、これに限定されるものではなく、勾配を持たせてもよい。また、下弦材１２は、直線状に限定されるものではなく、途中で屈曲していてもよい。
【００１６】
束材１３は、上弦材１１と下弦材１２とに掛け渡される部材であって、垂直材１４と斜材１５とを備えて構成されている。束材１３のうち、他方のトラスパーツ１０ｂ（１０ａ）側の端部に位置する垂直材１４は、他の束材１３と区別する場合に、接合用束材１３ａと称することがある。斜材１５は、トラスパーツ１０ａ，１０ｂを展開した状態で、中央の接合部分から端部に向けて、逆ハの字形状に配置されている。なお、斜材１５の配置形状は、逆ハの字形状に限定されるものではなく、ハの字形状やＫ字形状やＹ字形状等の他の形状であってもよい。
【００１７】
束材１３の上端部は、上弦材１１と接合され、束材１３の下端部は、下弦材１２と接続されている。
【００１８】
図３および図４にも示すように、隣り合うトラスパーツ１０ａ，１０ｂは、折畳み金物である丁番１７によって折り畳み可能に接続されている。丁番１７は、トラスパーツ１０ａ，１０ｂの一方の面で、隣り合うトラスパーツ１０ａ，１０ｂの接合部に位置する接合用束材１３ａ，１３ａの上端部と下端部に設けられている。丁番１７は、ヒンジ部を介して二枚のプレートが互いに１８０°まで回動可能に連結されている（図４の二点鎖線で示した部分を参照）。二枚のプレートには、接合用束材１３ａ，１３ａ（垂直材１４，１４）がそれぞれ固定されている。図４に示すように、接合用束材１３ａは、スクリュネジ１８にて丁番１７のプレートにネジ止めされている。スクリュネジ１８は、その先端が接合用束材１３ａの他方の面の近傍まで挿入される長さとなっており、スクリュネジ１８の先端が他方の面から飛び出さないようになっている。
【００１９】
前記構成のトラスパーツ１０ａ，１０ｂは、本実施形態では、左右対称形状となっており、折り畳むと各部材同士が重なった状態となる。トラスパーツ１０ａ，１０ｂは展開した状態で、必要な梁長さを備える。なお、隣り合うトラスパーツは、左右対称形状である必要はない。
【００２０】
図１乃至図３に示すように、隣り合うトラスパーツ１０ａ，１０ｂ同士の接合部には、トラスパーツ１０ａ，１０ｂが展開した状態で、補剛材２０が取り付けられている。補剛材２０は、板状の木材、または鋼材にて構成されており、両トラスパーツ１０ａ，１０ｂに跨って取り付けられている。補剛材２０は、トラスパーツ１０ａ，１０ｂの両面にそれぞれ設けられ、接合部を挟むように配置されている。補剛材２０は、上部横補剛材２１と縦補剛材２２と下部横補剛材２３とを、備えて構成されている。
【００２１】
上部横補剛材２１は、隣り合うトラスパーツ１０ａ，１０ｂの上弦材１１，１１同士を接続する補剛材である。上弦材１１に発生する曲げモーメントを圧縮力に置き換え、その抵抗要素として上部横補剛材２１が設けられている。上部横補剛材２１は、横長の部材であって、上弦材１１の接合部側端部から所定長さで上弦材１１を覆っている。上部横補剛材２１の厚さ寸法は、上弦材１１の厚さ寸法より小さい。図５に示すように、上部横補剛材２１は、スクリュネジ２４にて上弦材１１にネジ止めされている。スクリュネジ２４は、上弦材１１の長手方向に所定の間隔をあけて複数設けられている。スクリュネジ２４は、その先端が裏側の上部横補剛材２１の外表面の近傍まで挿入される長さとなっており、スクリュネジ２４の先端が裏側の上部横補剛材２１の外表面から飛び出さないようになっている。スクリュネジ２４は、一方の上部横補剛材２１と上弦材１１と他方の上部横補剛材２１の三部材に渡って挿通されている。スクリュネジ２４は、基端側の一方の上部横補剛材２１と上弦材１１への挿通部分がストレートになっている、二面せん断型である。スクリュネジ２４の本数は、構造計算によって適宜算出される。上部横補剛材２１は、上弦材１１と束材１３とを接合する接合金具の位置にも配置されるが、スクリュネジ２４は、接合金具と干渉しない位置に配置される。
【００２２】
縦補剛材２２は、隣り合うトラスパーツ１０ａ，１０ｂの接合用束材１３ａ，１３ａ同士を接続する補剛材である。縦補剛材２２は、接合用束材１３ａ，１３ａに発生するせん断力に対抗するせん断キーとして設けられている。縦補剛材２２は、縦長の部材であって、接合用束材１３ａの長手方向に沿って延在している。縦補剛材２２は、上下の丁番１７，１７間に配置され、二本の接合用束材１３ａ，１３ａの高さ方向中間部を覆っている。縦補剛材２２の厚さ寸法は、接合用束材１３ａの厚さ寸法と同寸以上である。縦補剛材２２は、スクリュネジ２４にて接合用束材１３ａにネジ止めされている。スクリュネジ２４は、上部横補剛材２１と上弦材１１とを固定するスクリュネジ２４と同等の形状・寸法であり、スクリュネジ２４の先端が裏側の縦補剛材２２の外表面から飛び出さないようになっている。また、スクリュネジ２４は、二面せん断型となっている。スクリュネジ２４の本数は、構造計算によって適宜算出される。
【００２３】
下部横補剛材２３は、隣り合うトラスパーツ１０ａ，１０ｂの下弦材１２，１２同士を接続する補剛材である。下弦材１２に発生する曲げモーメントを引張力に置き換え、その抵抗要素として下部横補剛材２３が設けられている。下部横補剛材２３は、横長の部材であって、下弦材１２の接合部側端部から所定長さで下弦材１２を覆っている。下部横補剛材２３の厚さ寸法は、下弦材１２の厚さ寸法より小さい。下部横補剛材２３は、スクリュネジ２４にて下弦材１２にネジ止めされている。スクリュネジ２４は、下弦材１２の長手方向に所定の間隔をあけて複数設けられている。スクリュネジ２４は、上部横補剛材２１と上弦材１１とを固定するスクリュネジ２４と同等の形状・寸法であり、スクリュネジ２４の先端が裏側の下部横補剛材２３の外表面から飛び出さないようになっている。また、スクリュネジ２４は、二面せん断型となっている。スクリュネジ２４の本数は、構造計算によって適宜算出される。下部横補剛材２３は、下弦材１２と束材１３とを接合する接合金具の位置にも配置されるが、スクリュネジ２４は、接合金具と干渉しない位置に配置される。
【００２４】
以下に前記構成の木造トラス梁構造１を展開して固定する工程を説明しながら、その作用効果を説明する。
【００２５】
木造トラス梁構造１は、工場にて形成し、図６の（ａ）に示すように、トラスパーツ１０ａ，１０ｂを折り畳んだ状態で輸送する。このように、折り畳んで輸送することで、ロングスパン（設計長さが長い）のトラス梁であっても、長さ寸法を小さくできる（一方のトラスパーツ１０ａ（１０ｂ）の長さになる）ので、トラックで輸送できる寸法に納めることができる。また、狭小地で道路幅や通路幅が小さい場合であっても、トラス梁を小さく折り畳んで容易に輸送することができる。さらに、大型車でしか輸送できなかったトラス梁を、一般車で輸送できるようになるので、輸送費の低減および狭小地での輸送を達成できる。
【００２６】
施工現場においては、図６の（ｂ）に示すように、まず、折り畳まれた状態のトラスパーツ１０ａ，１０ｂを展開して、設置状態の大きさにする。このとき、トラスパーツ１０ａ，１０ｂは予め工場にて接続されているので、相対位置関係は正確である。したがって、トラス梁の寸法精度を容易に確保することができる。また、トラスパーツ１０ａ，１０ｂは、丁番１７によって接続されているので、展開作業を容易に行うことができる。
【００２７】
次に、図３および図６の（ｃ）に示すように、各補剛材２０を取り付ける。補剛材２０を取り付けるに際しては、一方の補剛材２０を、トラスパーツ１０ａ，１０ｂの接合部の下側に挿入し、他方の補剛材２０を、接合部の上側に載置する。そして、上側からスクリュネジ２４を三部材に挿入する。スクリュネジ２４が三部材に渡る長さであるので、上方からの片面作業で、トラスパーツ１０ａ，１０ｂを裏返すことなく、補剛材２０を取り付けることができる。特にロングスパンの木造トラス梁構造１である場合には、トラスパーツ１０ａ，１０ｂを裏返さないことで、非常に多くの手間と時間を省略できる。
【００２８】
また、従来、分割して輸送したトラス梁を施工現場にて接続していた場合と比較すると、本発明では、工場担当者の現場出向や、現場における詳細の接続作業が省略できるので、工期短縮および工費節減を大幅に達成できる。特に、接続にかかる時間は、略半分に減らすことができると予想される。
【００２９】
かかる構成の木造トラス梁構造１によれば、上部横補剛材２１で圧縮力に対抗し、縦補剛材２２でせん断力に対抗し、下部横補剛材２３で引張力に対抗することができる。したがって、適所でバランス良く、木造トラス梁構造１を補剛することができる。また、各補剛材２０は、トラスパーツ１０ａ，１０ｂの接合部を挟むように固定されているので、補剛効果が大きくなる。
【００３０】
次に、図７乃至図１０を参照しながら、隣り合う木造トラス梁構造１，１間に転び止めパネル５０を設置した状態を説明する。転び止めパネル５０は、木造トラス梁構造１がその厚さ方向に転倒するのを防止するものであって、隣り合う木造トラス梁構造１，１間に掛け渡されている。
【００３１】
図７および図８に示すように、転び止めパネル５０は、矩形形状を呈しており、外周部に沿って配置された外周フレーム５１と、外周フレーム５１に張り付けられた合板５２とを備えている。外周フレーム５１は、上枠５３ａと下枠５３ｂと側枠５３ｃ，５３ｄとを備えている。なお、外周フレーム５１の内側には、補強フレーム５４が設けられている。補強フレーム５４は、上下方向に延在し、上枠５３ａと下枠５３ｂの長手方向中間部に掛け渡されている。各枠５３ａ，５３ｂ，５３ｃ，５３ｄと補強フレーム５４とは、それぞれ木製の板材から構成されている。
【００３２】
側枠５３ｃ，５３ｄは、木造トラス梁構造１のトラスパーツ１０ａ，１０ｂの接合部に側方から当接する。具体的には、トラスパーツ１０ａ，１０ｂの接合部に設けられた補剛材２０（上部横補剛材２１と縦補剛材２２と下部横補剛材２３）の表面に、側枠５３ｃ，５３ｄの外表面が当接している。
【００３３】
合板５２は、外周フレーム５１の片面に張り付けられており、外周フレーム５１と同等の外周形状を有している。合板５２の幅方向両端部の外側面は、外周フレーム５１側に傾斜しており、合板５２が端部に向かうに連れて薄くなっている。
【００３４】
このような構成の転び止めパネル５０は、図８および図９に示すように、木造トラス梁構造１に対して直交して配置される。図１０にも示すように、木造トラス梁構造１のトラスパーツ１０ａ，１０ｂの接合部は、隣り合う転び止めパネル５０のうち、一方の転び止めパネル５０の側枠５３ｃと、他方の転び止めパネル５０の側枠５３ｄとで挟まれている。各側枠５３ｃ，５３ｄは、補剛材２０（上部横補剛材２１と縦補剛材２２と下部横補剛材２３）にそれぞれ釘にて固定されている。釘は、一般的なものであって、外周フレーム５１の内側から外側に向かって、各側枠５３ｃ，５３ｄに打たれている。
【００３５】
以上のように、木造トラス梁構造１，１間に転び止めパネル５０を設けたことによって、木造トラス梁構造１が傾斜するのを防止できる。また、転び止めパネル５０は、木造トラス梁構造１のトラスパーツ１０ａ，１０ｂの接合部を挟持するので、木造トラス梁構造１を補強することができる。
【００３６】
以上、本発明を実施するための形態について説明したが、本発明は前記実施形態に限定されず、本発明の趣旨を逸脱しない範囲で適宜設計変更が可能である。たとえば、前記実施形態では、トラスパーツ１０ａ，１０ｂの接合部を、板状の補剛材２０で補剛したが、これに限定されるものではない。たとえば、接合部にブロッキングや筋交いなどの座屈防止機構、転倒防止機構を設けてもよい。
【００３７】
また、前記実施形態では、トラスは二分割されて２つのトラスパーツ１０ａ，１０ｂを設けているが、これに限定されるものではない。たとえば、３つ以上のトラスパーツを設けて、これらを蛇腹状に折り畳み可能に接続するようにしてもよい。さらに、図１１に示すように、トラスを上下に分割して、トラスパーツ１０ｃ，１０ｄを形成してもよい。トラスパーツ１０ｃ，１０ｄは丁番１７にて折り畳み可能に接続される。図１１の（ａ）に示すように、トラスパーツ１０ｃ，１０ｄは展開した状態で横補剛材２５にて補剛されている。このような構成によれば、図１１の（ｂ）に示すように、上側のトラスパーツ１０ｃを下側に折り畳めば、トラスの高さ寸法が小さくなるので、トラスの設置スペースを小さくできるとともに、狭い通路でも容易に運搬できる。
【００３８】
また、図１２に示すように、トラスを上下に分割するとともに、左右の両端部も分割し、トラスパーツ１０ｅ，１０ｆ，１０ｇ，１０ｈを形成してもよい。中央のトラスパーツ１０ｆと、周囲のトラスパーツ１０ｆ，１０ｇ，１０ｈ（上部のトラスパーツ１０ｅ、側部のトラスパーツ１０ｇ，１０ｈ）とは、丁番１７にて折り畳み可能に接続される。上部のトラスパーツ１０ｅの折り畳み方向と、側部のトラスパーツ１０ｇ，１０ｈの折り畳み方向は逆である。中央のトラスパーツ１０ｆと上部のトラスパーツ１０ｅとは、展開した状態で横補剛材２５にて補剛されている。また中央のトラスパーツ１０ｆと、左右のトラスパーツ１０ｇ，１０ｈとは、展開した状態で横補剛材２５にてそれぞれ補剛されている。
【００３９】
このような構成の木造トラス梁構造では、図１３に示すように、まず、上側のトラスパーツ１０ｅを手前側の下方に折り畳み、左右両側のトラスパーツ１０ｇ，１０ｈを奥側に折り畳む（図１４参照）。なお、折り畳む順番は逆であってもよい。このように折り畳めば、トラスの高さ寸法と幅寸法の両方が小さくなるので、トラスの設置スペースをより一層小さくできるとともに、狭い通路でも容易に運搬できる。
【００４０】
また、前記実施形態では、隣り合うトラスパーツ１０ａ，１０ｂは、丁番１７にて折り畳み可能に接続されているが、これに限定されるものではない。たとえば、ダボ接合式接合金物や、マグネット金物を用いてもよい。
【００４１】
さらに、前記実施形態では、木造トラス梁構造１を単体で用いているが、これに限定されるものではない。複数の木造トラス梁構造を、厚さ方向に積層して用いてもよい。この場合、補剛材は、外側に位置する木造トラス梁構造のトラスパーツの接合部の外表面に設ければよい。つまり、隣り合う木造トラス梁構造が互いに対向する内側部分では、隣接する木造トラス梁構造の上弦材同士、下弦材同士および束材同士がそれぞれ当接している。
【００４２】
木造トラス梁構造の外側に、壁パネルを取り付ける場合には、補剛材は壁パネルの内側に取り付けておいて、壁パネルを設置する際に木造トラス梁構造の外表面に取り付けるようにする。壁パネルと補剛材は、二面せん断型のスクリュネジを介して内側の木造トラス梁構造に固定する。
【符号の説明】
【００４３】
１      木造トラス梁構造
１０ａ  トラスパーツ
１０ｂ  トラスパーツ
１１    上弦材
１２    下弦材
１３    束材
１４    垂直材
１５    斜材
１７    丁番
２０    補剛材
２１    上部横補剛材
２２    縦補剛材
２３    下部横補剛材
２４    スクリュネジ
【図１】
2020169531.tif 000003
【図２】
2020169531.tif 000004
【図３】
2020169531.tif 000005
【図４】
2020169531.tif 000006
【図５】
2020169531.tif 000007
【図６】
2020169531.tif 000008
【図７】
2020169531.tif 000009
【図８】
2020169531.tif 000010
【図９】
2020169531.tif 000011
【図１０】
2020169531.tif 000012
【図１１】
2020169531.tif 000013
【図１２】
2020169531.tif 000014
【図１３】
2020169531.tif 000015
【図１４】
2020169531.tif 000016